(57)【特許請求の範囲】
【請求項１】
カメラ（９）を保持するカメラホルダ（４）をケース（２）にチルト可能に枢支し、前記ケースの前側面（２ａ）に配置され上下にスライドするチルトツマミ（３）により前記カメラホルダを揺動させて前記ケースの前側面でチルト操作を可能としたことを特徴とするカメラ付き玄関機のチルト構造。
【請求項２】
前記チルトツマミは前記ケースの開口（２２）に上下にスライド可能に嵌合される回転棒受け（３１）を備え、
前記ケースにチルトシャフト回転軸（５１）で軸支され前記回転棒受けに嵌合されたチルトシャフト回転棒（５４）により揺動されるチルトシャフト（５）と、前記チルトシャフトに設けられたチルト棒受け（５２）に摺動可能に嵌合され前記カメラホルダをカメラホルダ回転軸（４１）を枢支軸として揺動させるカメラホルダチルト棒（４２）とを備えたことを特徴とする請求項１記載のカメラ付き玄関機のチルト構造。
【請求項３】
前記チルトシャフトにはチルトシャフト撓み部（５３）の外周辺部にチルト調整凹部（５５）を設け、前記ケースには前記チルト調整凹部に噛み合うチルト調整凸部（２１）を設けて、前記チルトシャフトが回転すると前記チルトシャフト撓み部が撓み、次のチルト調整凹部と噛み合うことにより、段階的にチルト調整を可能としたことを特徴とする請求項２記載のカメラ付き玄関機のチルト構造。
【請求項４】
前記カメラホルダを保持する前記チルトシャフトの前記チルト棒受けの回転半径（５a）に比べて前記チルトツマミによって直接的にチルト操作する前記チルトシャフト回転棒の回転半径（５ｂ）を大きくすることにより小さな力で容易にチルト操作でき、かつ前記カメラホルダを保持できるようにしたことを特徴とする請求項３記載のカメラ付き玄関機のチルト構造。
【請求項５】
前記チルトシャフトの前記チルト棒受けの回転半径に比べて前記チルトシャフト回転棒の回転半径を２〜３倍に大きくすることを特徴とする請求項４記載のカメラ付き玄関機のチルト構造。
【発明の詳細な説明】
【０００１】
【発明の属する技術分野】
本発明はカメラ付き玄関機のチルト構造に係り、特にカメラ付玄関機のケース前側面よりチルト操作できるカメラ付き玄関機のチルト構造に関する。
【０００２】
【従来の技術】
従来から、カメラ付き玄関機のチルト構造は図４（ａ）、（ｂ）に示すように、カメラ１０９を保持するカメラホルダ１０４をケース１０２にチルト可能に枢支し、ケース１０２の前面から回動操作可能に配設された雄ねじシャフト１０７を回動させることにより、カメラホルダ１０４を揺動させるもので、ケース１０２内にチルト可能に配置されたカメラ１０９を保護するために、ケース１０２にはカメラカバー１０６が固定され、さらに、これらが組み込まれたケース１０２には、当該ケース１０２を覆うようにパネル１０１が嵌合されている。
【０００３】
このようなカメラ１０９をチルトさせるチルト操作部１００は、具体的には図５に示すように、カメラホルダ１０４がカメラホルダ回転軸１４１でケース１０２にチルト可能に枢支され、このカメラホルダ１０４を揺動させるために、雄ねじシャフト１０７に螺合され且つカメラホルダ１０４に設けられた凸部１０４ａに噛み合う凹部１０８ａが設けられた雌ねじチルトコマ１０８を備えている。したがって、雄ねじシャフト１０７をケース１０２の前面より回転させ雌ねじチルトコマ１０８を前後にスライドさせることにより、雌ねじチルトコマ１０８と噛み合っているカメラホルダ１０４を、カメラホルダ回転軸１４１を中心に回転させてカメラ１０９をチルトさせることができる。
【０００４】
【発明が解決しようとする課題】
しかしながら、このような従来のカメラ付き玄関機のチルト構造では、操作部である雄ねじシャフト１０７をケース１０２の前面に配置されたカメラ１０９のすぐ下側に配置し、また、この雄ねじシャフト１０７を外観上隠れるようにパネル１０１等で覆わなければならないので、カメラ部下側が外観上隠せないデザインのものであったり、カメラ下側に十分なスペースがなかったりした場合には、チルト操作部１００を配置できないという難点があった。
【０００５】
本発明は、このような従来の難点を解決するためになされたもので、カメラ付玄関機においてケース前側面よりチルト操作することができるカメラ付き玄関機のチルト構造を提供することを目的とする。
【０００６】
【課題を解決するための手段】
上記目的を達成する本発明のカメラ付き玄関機のチルト構造は、カメラを保持するカメラホルダをケースにチルト可能に枢支し、ケースの前側面に配置され上下にスライドするチルトツマミによりカメラホルダを揺動させてケースの前側面でチルト操作を可能としたものである。
【０００７】
このようなカメラ付き玄関機のチルト構造によれば、ケースの前側面でチルト操作できるので、カメラ部下側が外観上隠せないデザインのものであったり、カメラ下側に十分なスペースがなかったりしても対応させることができる。
【０００８】
また、本発明のカメラ付き玄関機のチルト構造においては、チルトツマミはケースの開口に上下にスライド可能に嵌合される回転棒受けを備え、ケースにチルトシャフト回転軸で軸支され回転棒受けに嵌合されたチルトシャフト回転棒により揺動されるチルトシャフトと、チルトシャフトに設けられたチルト棒受けに摺動可能に嵌合されカメラホルダをカメラホルダ回転軸を枢支軸として揺動させるカメラホルダチルト棒とを備えたものである。これらを具備することにより、チルトツマミを上下の何れかの方向にスライドさせると、回転棒受けがチルトシャフトのチルトシャフト回転棒を介して当該チルトシャフトを、チルトシャフト回転軸を中心にして回転させるので、このチルトシャフトに設けられたチルト棒受けが、摺動可能に嵌合されたカメラホルダチルト棒を介してカメラホルダ回転軸を枢支軸としてカメラホルダを回転させることができる。
【０００９】
また、本発明のカメラ付き玄関機のチルト構造においては、チルトシャフトにはチルトシャフト撓み部の外周辺部にチルト調整凹部を設け、ケースにはチルト調整凹部に噛合うチルト調整凸部を設けて、チルトシャフトが回転するとチルトシャフト撓み部が撓み、次のチルト調整凹部と噛み合うことにより、段階的にチルト調整を可能としたものである。これらを具備することにより、チルトツマミを上下の何れかの方向にスライドさせて、チルトシャフト回転軸を中心にしてチルトシャフトを回転させると、チルト調整凸部がチルトシャフト撓み部を撓ませ、次のチルト調整凹部と噛み合うという連続動作を行うことができる。
【００１０】
また、本発明のカメラ付き玄関機のチルト構造においては、カメラホルダを保持するチルトシャフトのチルト棒受けの回転半径に比べてチルトツマミによって直接的にチルト操作するチルトシャフト回転棒の回転半径を大きくすることにより小さな力で容易にチルト操作でき、かつカメラホルダを保持できるようにしたものである。また、チルトシャフトのチルト棒受けの回転半径に比べてチルトシャフト回転棒の回転半径を２〜３倍に大きくするものである。このように形成することにより、チルトツマミを上下の何れかの方向にスライドさせて、チルトシャフト回転軸を中心にしてチルトシャフトを回転させる際、チルトシャフトのチルト棒受けの回転半径に比べてチルトシャフト回転棒の回転半径の方が大きいことから、小さな力で容易にチルト操作できると共に、小さな力でカメラホルダを保持できるようになる。なお、小さな力でチルト操作するときに最も好適なのは、チルトシャフト回転棒の回転半径がチルト棒受けの回転半径の２〜３倍のときであることが、本発明者によって確認されている。
【００１１】
【発明の実態の形態】
以下、本発明のカメラ付き玄関機のチルト構造による好ましい実施の形態例について、図面を参照して詳述する。
【００１２】
本発明のカメラ付き玄関機のチルト構造は図２（ａ）、（ｂ）に示すように、カメラ９を保持するカメラホルダ４をケース２にチルト可能に枢支し、ケース２の前側面２ａに配置され上下にスライドするチルトツマミ３によりカメラホルダ４を揺動させてケースの前側面２ａでチルト操作を可能としたもので、ケース２内にチルト可能に配置されたカメラ９を保護するために、ケース２にはカメラカバー６が固定され、さらに、これらが組み込まれたケース２には、当該ケース２を覆うようにパネル１０が嵌合されている。
【００１３】
このようなカメラ９をチルトさせるチルト操作部１は、具体的には図１（ａ）、（ｂ）に示すように、チルトツマミ３はケース２の開口２２に上下にスライド可能に嵌合される回転棒受け３１を備え、ケース２にチルトシャフト回転軸５１で軸支され回転棒受け３１に嵌合されたチルトシャフト回転棒５４により揺動されるチルトシャフト５と、チルトシャフト５に設けられたチルト棒受け５２に摺動可能に嵌合されカメラホルダ４をカメラホルダ回転軸４１を枢支軸として揺動させるカメラホルダチルト棒４２とを備えている。
【００１４】
また、チルトシャフト５にはチルトシャフト撓み部５３の外周辺部にチルト調整凹部５５を設け、ケース２にはチルト調整凹部５５に噛み合うチルト調整凸部２１を設けており、チルトシャフト５が回転するとチルトシャフト撓み部５３が撓み、次のチルト調整凹部５５と噛み合うことにより、段階的にチルト調整を行うことができる。
【００１５】
さらに、カメラホルダ４を保持するチルトシャフト５のチルト棒受け５２の回転半径５aに比べてチルトツマミ３によって直接的にチルト操作するチルトシャフト回転棒５４の回転半径５ｂを大きくすることにより小さな力で容易にチルト操作でき、かつカメラホルダ４を保持できるようになる。なお、チルトシャフト５のチルト棒受け５２の回転半径に比べてチルトシャフト回転棒５４の回転半径を２〜３倍に大きくするとよい。これは、小さな力でチルト操作するときに最も好適なのは、チルトシャフト回転棒の回転半径がチルト棒受けの回転半径の２〜３倍のときであることが、本発明者によって確認されているからである。
【００１６】
このように構成されたカメラ付き玄関機のチルト構造によるチルト動作について説明する。
【００１７】
カメラ付き玄関機のカメラ９をチルト操作するために、チルトツマミ３を上下の何れかの方向にスライドさせると、回転棒受け３１がチルトシャフト５のチルトシャフト回転棒５４を介して当該チルトシャフト５を、例えば図３（ａ）、（ｂ）に示すように、チルトシャフト回転軸５１を中心にして時計方向に回転させるので、このチルトシャフト５に設けられたチルト棒受け５２が、摺動可能に嵌合されたカメラホルダチルト棒４２を介してカメラホルダ回転軸４１を枢支軸としてカメラホルダ４を反時計方向に回転させることができる。また、チルトツマミ３において図３（ａ）、（ｃ）に示すように、チルトシャフト回転軸５１を中心にして反時計方向に回転させれば、カメラホルダ４を時計方向に回転させることができる。したがって、ケース２の前側面２ａでチルト操作できるようになる。
【００１８】
また、図１（ａ）、（ｂ）に示すように、チルトツマミ３を上下の何れかの方向にスライドさせて、チルトシャフト回転軸５１を中心にしてチルトシャフト５を回転させると、チルト調整凸部５５がチルトシャフト撓み部５３を撓ませ、次のチルト調整凹部５５と噛み合うという連続動作を行うので、チルトツマミ３によるチルト操作において段階的にチルト調整することが可能になる。
【００１９】
さらに、図１（ａ）、（ｂ）に示すように、チルトツマミ３を上下の何れかの方向にスライドさせて、チルトシャフト回転軸５１を中心にしてチルトシャフト５を回転させる際、チルトシャフト５のチルト棒受け５２の回転半径５ａに比べてチルトシャフト回転棒５４の回転半径５ｂの方が大きいことから、小さな力で容易にチルト操作できると共に、小さな力でカメラホルダを保持できるようになる。
【００２０】
なお、本発明のカメラ付き玄関機のチルト構造による好ましい実施の形態例においては、チルト操作部１を上述したような構成のもので説明したが、これに限らず、カメラ９を保持するカメラホルダ４をケース２にチルト可能に枢支し、ケース２の前側面２ａに配置され上下にスライドするチルトツマミ３によりカメラホルダ４を揺動させてケースの前側面２ａでチルト操作を行うことができれば、どのような構成のものでもよい。
【００２１】
【発明の効果】
以上の説明から明らかなように、本発明のカメラ付き玄関機のチルト構造によればカメラ付玄関機においてケース前側面よりチルト操作できる。また、チルト操作の段階調節も可能となる。これにより、ケースの前側面でチルト操作できるので、カメラ部下側が外観上隠せないデザインのものであったり、カメラ下側に十分なスペースがなかったりしても対応させることができるようになる。
【図面の簡単な説明】
【図１】本発明のカメラ付き玄関機のチルト構造による好ましい実施の形態例を示す説明図で、（ａ）はチルトの部品構成図、（ｂ）はチルト部品の組立図。
【図２】本発明のカメラ付き玄関機のチルト構造による好ましい実施の形態例を示す説明図で、（ａ）はパネルを外した外観図、（ｂ）はパネルを取り付けた外観図。
【図３】本発明のカメラ付き玄関機のチルト構造によるチルト動作の状態を示す説明図で、（ａ）はチルト前の図、（ｂ）、（ｃ）はチルト後の図。
【図４】従来のカメラ付き玄関機のチルト構造を示す説明図で、（ａ）はパネルを外した外観図、（ｂ）はパネルを取り付けた外観図。
【図５】従来のカメラ付き玄関機のチルト構造を示す断面図。
【符号の説明】
２・・・・・ケース
２１・・・・・チルト調整凸部
２２・・・・・ケースの開口
２ａ・・・・・ケースの前側面
３・・・・・チルトツマミ
３１・・・・・回転棒受け
４・・・・・カメラホルダ
４１・・・・・カメラホルダ回転軸
４２・・・・・カメラホルダチルト棒
５・・・・・チルトシャフト
５１・・・・・チルトシャフト回転軸
５２・・・・・チルト棒受け
５３・・・・・チルトシャフト撓み部
５４・・・・・チルトシャフト回転棒
５５・・・・・チルト調整凹部
５ａ・・・・・チルトシャフトのチルト棒受けの回転半径
５ｂ・・・・・チルトシャフト回転棒の回転半径
【図１】
0004505155.tif 000002
【図２】
0004505155.tif 000003
【図３】
0004505155.tif 000004
【図４】
0004505155.tif 000005
【図５】
0004505155.tif 000006